(57)【特許請求の範囲】
【請求項１】
少なくとも４方向の方向指令が可能な指令手段と、
前記指令手段の方向指令に応じて画面に表示された操作対象の表示位置を制御する制御手段と、
連続して指令された二つの方向指令の同一性及び類似性を判定する判定手段と、
前記判定手段により前記連続して指令された二つの方向指令に同一性があると判定された場合、前記決定手段は前記連続して指令された二つの方向指令のうち後の方向指令に対する操作対象の移動速度を前の方向指令に対する移動速度よりも加速させるように決定し、また、前記判定手段により前記連続して指令された二つの方向指令に類似性があると判定された場合、前記決定手段は前記連続して指令された二つの方向指令のうち後の方向指令に対する操作対象の移動速度を前の方向指令に対する移動速度よりも加速させるように決定する決定手段と、を含む
制御装置。
【請求項２】
請求項１に記載の制御装置において、
前記指令手段が、前記画面に表示された前記操作対象を当該画面内で移動させるためのジョイスティック或いは複数の操作釦から構成されている
制御装置。
【請求項３】
少なくとも４方向の方向指令が可能な指令手段の方向指令に応じて、画面に表示された操作対象の表示位置を制御する制御装置の制御方法において、
連続して指令された二つの方向指令の同一性及び類似性を判定するステップと、
前記判定の結果、前記連続して指令された二つの方向指令に同一性があると判定された場合、前記連続して指令された二つの方向指令のうち後の方向指令に対する操作対象の移動速度を前の方向指令に対する移動速度よりも加速させるステップと、
前記判定の結果、前記連続して指令された二つの方向指令に類似性があると判定された場合、前記連続して指令された二つの方向指令のうち後の方向指令に対する操作対象の移動速度を前の方向指令に対する移動速度よりも加速させるステップと、を含む
制御方法。
【発明の詳細な説明】
【０００１】
【発明の属する技術分野】
本発明は、例えば表示画面上に第１の画像と共に第２の画像の表示を行う場合に使用して好適な制御装置および制御方法に関する。詳しくは例えば上述の第２の画像にあっては、その表示位置の制御等を円滑に行うことができるようにしたものである。
【０００２】
【従来の技術】
例えば機器の制御をキー操作によって行う場合に、同じキーが連続して操作されたときには制御による変化の速度が加速されるようにして所望の制御が円滑に行われるようにした制御装置が実現されている。すなわちこの装置においては、キーを断続して操作することによって制御が僅かづつ変化されると共に、同じキーが連続して操作されたときには変化が加速されることによって、制御の微調整と大幅な変化のいずれも行うことができるものである。
【０００３】
ところがこのような装置において、制御方向が２次元以上の場合には、例えば２つのキーを用いて制御を行うことが考えられる。その場合に２つのキーを交替して操作すると、そのキー操作は交替ごとに断続したものとなり、制御の変化が僅かづつのものになってしまう。このため所望の制御を行うまでに長い時間が掛かるなど、操作を円滑に行うことができなくなってしまうものである。
【０００５】
【発明が解決しようとする課題】
この出願はこのような点に鑑みて成されたものであって、解決しようとする問題点は、従来の装置または機器では、制御方向が２次元以上の場合に操作を円滑に行うことができなくなってしまう恐れがあったというものである。
【０００６】
【課題を解決するための手段】
このため本発明の第１の手段は、複数の指令手段の操作の類似性及び／または非類似性を判定し、指令手段が交替して操作された場合でも、類似性が判断されたときは反応時間を加減するようにしたものであって、これによれば、制御方向が２次元以上の場合にも操作を円滑に行うことができる。
【０００８】
【発明の実施の形態】
すなわち本発明の第１の実施の形態は、複数の指令手段が設けられ、複数の指令手段のそれぞれの操作に応じて機器の制御を行う制御装置であって、複数の指令手段のそれぞれの操作の類似性及び／または非類似性を判定する手段と、複数の指令手段のそれぞれの操作に対する制御の反応時間を決定する手段とを設け、複数の指令手段が交替して操作された場合で類似性が判断されたときは反応時間を加減してなるものである。
【００１０】
【実施例】
以下、図面を参照して本発明を説明するに、図１は本発明による制御装置を適用した例えばテレビジョン受像機の一例の構成を示すブロック図である。なおこの例では、例えば表示画面上に第１の画像としての親画面と第２の画像としての子画面の表示を行うことができると共に、この子画面の表示位置を任意に制御できるようにしているものである。
【００１１】
図１において、例えば表示画面上に表示される第１の画像としての親画面の映像信号が入力端子１に供給される。この親画面の映像信号は切り換えスイッチ２に供給されて後述する子画面の映像信号と切り換えられる。そしてこの切り換えスイッチ２からの映像信号がＲＧＢドライブ回路３を通じて上述の表示画面を映出する受像管４に供給される。
【００１２】
また、第２の画像としての子画面の映像信号は入力端子５から子画面信号の形成回路６に供給される。この形成回路６には、例えば親画面の映像信号から分離回路７で分離された同期信号が供給される。これと形成回路６の内部でのメモリーからの読み出し速度の変化によって子画面の映像信号が任意のサイズに圧縮され、上述の表示画面上の任意の位置のタイミングで取り出されて子画面の映像信号が形成される。
【００１３】
そしてこの形成された子画面の映像信号が切り換えスイッチ２に供給される。さらに形成回路６では、上述の表示画面上の任意の位置のタイミングに相当する切り換え信号が形成される。そして上述の切り換えスイッチ２が、この切り換え信号に従って切り換えられること、及び形成回路６の内部でのメモリーからの読み出し速度の変化によって、親画面の任意の位置に任意のサイズの子画面が合成される。
【００１４】
さらに例えばキースキャンやリモートコントロールの赤外線（ＩＲ）等の任意の指令手段からの指令信号が入力端子８を通じてマイクロコンピュータ９に供給される。このマイクロコンピュータ９では、上述の指令信号が中央処理装置（ＣＰＵ）１０に供給されて上述の子画面の表示位置等を定める制御信号が形成される。そして形成された制御信号が上述の子画面信号の形成回路６に供給されて子画面の表示位置等が制御される。
【００１５】
ここで入力端子８には、例えば図２に示すような複数の指令手段からの指令信号が供給される。すなわち図２のＡでは、上下左右の４つの操作釦からのそれぞれの方向を示す指令信号が供給される。また図２のＢでは、いわゆるジョイスティックにより矢印で示す８方向の指令信号が供給される。なおこれらの操作釦あるいはジョイスティックは、機器本体もしくは遠隔操作装置に設けられる。
【００１６】
これによって、例えば図３のＡに示すように子画面が親画面の右下に表示されている状態から、同図のＢに示すように左向きの操作釦を押すことで子画面を左に移動させ、さらに上向きの操作釦を押すことで画面を上に移動させて、同図のＣに示すように子画面を親画面の左上に表示させることができる。このようにして子画面を親画面の任意の位置に表示させることができる。
【００１７】
そしてこの場合に、例えば左向きの操作釦を押したときには最初はゆっくりとした移動から同じ操作釦を押し続けることで移動速度が徐々に加速されるようになっている。これは制御の微調整と大幅な変化を共に良好に行うためのである。ところが従来の装置では、次に上向きの操作釦を押したときに再びゆっくりとした移動になってしまい、これでは操作が滞って円滑に行うことができない。
【００１８】
そこで上述の構成では、マイクロコンピュータ９での処理の一部に操作釦の類似性及び／または非類似性を判定する手段１１と、制御の反応時間を決定する手段１２とを設け、これらの手段によって上述のような操作に対しても操作が円滑に行われるようにしている。すなわち図４には、例えばマイクロコンピュータ９でのキー入力処理の流れを示す。
【００１９】
この図４において処理がスタートされると、まずステップＳ１で上述の操作釦あるいはジョイスティックからのキー入力が検出され、ステップＳ２でキー入力のデーターが判別される。さらにステップＳ３で判別されたデーターからキー入力の同一入力が判別され、ステップＳ４でキー入力の同種入力が判別される。そしてステップＳ５でキー入力の実効速度が調整され、ステップＳ６でキー入力の実効処理が行われてキー入力処理が終了される。
【００２０】
そしてこの処理において、ステップＳ３でキー入力の同一入力が判別されたときは、ステップＳ５でキー入力の実効速度を徐々に加速する調整が行われる。またステップＳ４でキー入力の同種入力が判別されたときも、ステップＳ５でキー入力の実効速度を徐々に加速する調整が行われる。これに対してステップＳ３、Ｓ４でキー入力の同一入力も同種入力が判別されなかったときは、ステップＳ５でキー入力の実効速度を初期値に戻す調整が行われる。
【００２１】
すなわち上述の操作釦の類似性及び／または非類似性を判定する手段１１で操作釦の類似性が判定されたときは、制御の反応時間を決定する手段１２で同一の操作釦が操作されたものとして反応時間を加減する。これにより、例えば上述の左向きの操作釦に続けて上向きの操作釦を押したときにも移動が加速されたままで、操作を円滑に行うことができる。
【００２２】
なお、上述の操作釦の類似性及び／または非類似性を判定は、例えばリードオンリーメモリ（ＲＯＭ）１３に記憶された類似性の組み合わせのテーブル等に基づいて、入力されたキーのデーターと例えばランダムアクセスメモリ（ＲＡＭ）１４に記憶された直前のキー入力のデーターとを判定手段１１で比較することによって行うことができる。
【００２３】
従ってこの装置または機器において、複数の指令手段の操作の類似性及び／または非類似性を判定し、指令手段が交替して操作された場合でも、類似性が判断されたときは反応時間を加減することによって、制御方向が２次元以上の場合にも操作を円滑に行うことができる。
【００２４】
これによって、従来の装置または機器では、制御方向が２次元以上の場合に操作を円滑に行うことができなくなってしまう恐れがあったものを、本発明によればこれらの問題点を容易に解消することができるものである。
【００２５】
なお上述の装置または機器によって制御される対象は、親画面の中の子画面の表示位置に限らず、カーソルやポインタの位置の制御等にも応用できる。また表示画面を伴うものに限らず、４チャンネル音響機器での聴取位置の設定や、色相と飽和度等の２次元以上の制御を行う場合に適用されるものである。
【００２６】
さらに上述の装置または機器においては、上述の操作釦あるいはジョイスティックを用いることによって、例えば図５に示すように子画面を表示画面の任意の位置に移動させることができる。すなわち図６には、例えばマイクロコンピュータ９での子画面位置設定処理の流れを示す。
【００２７】
この図６において処理がスタートされると、まずステップＳ７でキー入力データーのデコード処理が行われ、例えば上述の反応時間ごとに入力されたキーのデーターが取り出される。そしてステップＳ８では、例えばキーのデーターが方向ごとに加算されて子画面の位置が算出される。そしてステップＳ９で算出された位置に子画面の位置が設定されて子画面位置設定処理が終了される。
【００２８】
従ってこの装置または機器において、任意の指令手段の操作に応じて第２の画像を表示画面中の任意の位置に表示することによって、子画面の表示によって親画面の必要な部分が隠れてしまうなどの問題を解消することができる。
【００２９】
なおこの子画面の位置を移動する際には、上述のように操作釦の類似性を判定することで、操作を円滑に行うことができる。
【００３０】
また上述の装置または機器において、子画面の表示位置は例えば図５のＡに示すように親画面の中だけでなく、同図のＢに示すように表示画面の有効画面外にも設定することができる。
【００３１】
さらにこれらの表示位置の設定情報を、例えばランダムアクセスメモリ（ＲＡＭ）１４に記録保持させることによって、例えば装置または機器の使用を一旦止めた後でも、使用の再開時には前回の表示位置に子画面等を表示させることができるものである。
【００３２】
なお、第２の画像としての子画面には、上述のような放送等の映像信号だけでなく、装置または機器の設定等を行うためのメニュー画面等を表示することもできる。また子画面は複数設けることも可能である。
【００３３】
こうして本発明の第１の実施の形態によれば、複数の指令手段が設けられ、複数の指令手段のそれぞれの操作に応じて機器の制御を行う制御装置であって、複数の指令手段のそれぞれの操作の類似性及び／または非類似性を判定する手段と、複数の指令手段のそれぞれの操作に対する制御の反応時間を決定する手段とを設け、複数の指令手段が交替して操作された場合で類似性が判断されたときは反応時間を加減することにより、制御方向が２次元以上の場合にも操作を円滑に行うことができるものである。
【００３４】
また本発明の第２の実施の形態によれば、表示画面上に第１の画像と共に第２の画像の表示を行うことのできる映像機器であって、第２の画像の表示位置を任意に制御する手段を有し、任意の指令手段の操作に応じて第２の画像を表示画面中の任意の位置に表示することにより、子画面の表示によって親画面の必要な部分が隠れてしまうなどの問題を解消することができるものである。
【００３５】
なお本発明は、上述の説明した実施の形態に限定されるものではなく、本発明の精神を逸脱することなく種々の変形が可能とされるものである。
【００３６】
【発明の効果】
従って本発明の第１の実施の形態によれば、複数の指令手段の操作の類似性及び／または非類似性を判定し、指令手段が交替して操作された場合でも、類似性が判断されたときは反応時間を加減することによって、制御方向が２次元以上の場合にも操作を円滑に行うことができるものである。
【００３７】
これによって、従来の装置または機器では、制御方向が２次元以上の場合に操作を円滑に行うことができなくなってしまう恐れがあったものを、本発明によればこれらの問題点を容易に解消することができるものである。
【００３８】
また、本発明の第２の実施の形態によれば、任意の指令手段の操作に応じて第２の画像を表示画面中の任意の位置に表示するようにしたものであって、これによれば、子画面の表示によって親画面の必要な部分が隠れてしまうなどの問題を解消することができるものである。
【図面の簡単な説明】
【図１】  本発明による制御装置を適用した例えばテレビジョン受像機の一例の構成を示すブロック図である。
【図２】その複数の指令手段としての操作釦及びジョイスティックの構成図である。
【図３】その第１の実施の形態の動作の説明のための図である。
【図４】その説明のためのフローチャート図である。
【図５】その第２の実施の形態の動作の説明のための図である。
【図６】その説明のためのフローチャート図である。
【符号の説明】
１…親画面の映像信号の入力端子、２…切り換えスイッチ、３…ＲＧＢドライブ回路、４…受像管、５…子画面の映像信号の入力端子、６…子画面信号の形成回路、７…同期分離回路、８…指令信号の入力端子、９…マイクロコンピュータ、１０…中央処理装置（ＣＰＵ）、１１…操作釦の類似性及び／または非類似性を判定する手段、１２…制御の反応時間を決定する手段、１３…リードオンリーメモリ（ＲＯＭ）、１４…ランダムアクセスメモリ（ＲＡＭ）
【図１】
0004158238.tif 000002
【図２】
0004158238.tif 000003
【図３】
0004158238.tif 000004
【図４】
0004158238.tif 000005
【図５】
0004158238.tif 000006
【図６】
0004158238.tif 000007